(57)【要約】      （修正有）【課題】小さい力でも食材をあらゆる方向に粗くおろすことができると共に、おろし時に専用の受け皿が不要な粗おろし器を提供する。【解決手段】皿状に形成されかつ中央部４の周囲の上面に周方向に延びる受け溝５を設けた皿部２と、該皿部２の中央部４の上面に互いに間隔を開けて突設された複数の突起刃３を備えたセラミック製の粗おろし器１であって、突起刃３の正面側に、内角が鈍角である３つの角部を上部に有する五角形状の正面視形状の壁面を形成し、突起刃３の側面視形状を三角形状に形成した。壁面が皿部２の中央部４の径方向に沿うようにして同じ向きに形成される複数の突起刃３を１組とし、突起刃３同士が皿部２の中央部４の周方向と径方向のいずれにもずれるように、複数組の突起刃３を皿部２の中央部４の周方向に互いに間隔を開けて設けた。【選択図】図１
0003172919.tif 000002
【実用新案登録請求の範囲】
【請求項１】
皿状に形成されかつ中央部の周囲の上面に周方向に延びる受け溝を設けた皿部と、
前記皿部の中央部の上面に互いに間隔を開けて突設された複数の突起刃、
を備えたセラミック製の粗おろし器であって、
前記突起刃の正面側に、内角が鈍角である３つの角部を上部に有する五角形状の正面視形状の壁面を形成し、
前記突起刃の側面視形状を三角形状に形成したことを特徴とする粗おろし器。
【請求項２】
前記突起刃の壁面及び側面を上方に向かって内側へ傾斜するように形成した請求項１に記載の粗おろし器。
【請求項３】
前記壁面が前記皿部の中央部の径方向に沿うようにして同じ向きに形成される複数の前記突起刃を１組とし、
前記突起刃同士が前記皿部の中央部の周方向と径方向のいずれにもずれるように、複数組の前記突起刃を前記皿部の中央部の周方向に互いに間隔を開けて設けた請求項１又は２に記載の粗おろし器。
【請求項４】
前記皿部の中央部の上面又は受け溝に、前記突起刃の壁面が向いている方向とは反対の方向を示す少なくとも１つの矢印を表示した請求項３に記載の粗おろし器。
【請求項５】
前記皿部の周縁部に注ぎ口を設けた請求項１から４のいずれかに記載の粗おろし器。
【請求項６】
前記皿部の平面視形状を、丸みを帯びた多角形状に形成し、
前記注ぎ口を、前記皿部における丸みを帯びた角部に設けた請求項５に記載の粗おろし器。
【請求項７】
前記突起刃の刃先高さを２〜４ｍｍとした請求項１から６のいずれかに記載の粗おろし器。
【請求項８】
前記突起刃の刃先高さを２〜３．５ｍｍとした請求項１から７のいずれかに記載の粗おろし器。
【請求項９】
前記突起刃の刃先高さを２．５〜３ｍｍとした請求項１から８のいずれかに記載の粗おろし器。
【請求項１０】
前記皿部の底面に滑り止め材を設けた請求項１から９のいずれかに記載の粗おろし器。
【考案の詳細な説明】
【技術分野】
【０００１】
本考案は、大根等の食材を粗くおろすための粗おろし器に関するものである。
【背景技術】
【０００２】
大根等の食材を粗くおろすための従来の技術としては、枠体と、前記枠体の前後方向の後端部に突設された把手部と、前記枠体内に前後方向に間隔を開けて互いに平行となるように固定されかつ上縁部に鋸歯状の複数の歯部を有する複数のおろし板部を備えた鬼おろし（例えば、特許文献１参照。）等が知られている。
【先行技術文献】
【特許文献】
【０００３】
【特許文献１】登録実用新案第３１５７４１７号公報（図５、段落〔０００１〕〜〔０００４〕、等）
【考案の開示】
【考案が解決しようとする課題】
【０００４】
しかし、上記のような鬼おろしにおいては、前後方向にしかおろすことができないと共に、食材をおろすのにかなりの力が必要であるという問題点がある。
【０００５】
また、粗おろし食材（粗くおろされた食材）や、それから出てきた汁が前記おろし板部同士の隙間から落下するので、専用の受け皿上に鬼おろしを載置した状態で食材をおろす必要があるという問題点がある。
【０００６】
本考案は、以上のような事情や問題点に鑑みてなされたものであり、小さい力でも食材をあらゆる方向に粗くおろすことができると共に、おろし時に専用の受け皿が不要な粗おろし器を提供することを目的とする。
【課題を解決するための手段】
【０００７】
上記目的を達成するための第１の考案は、
皿状に形成されかつ中央部の周囲の上面に周方向に延びる受け溝を設けた皿部と、
前記皿部の中央部の上面に互いに間隔を開けて突設された複数の突起刃、
を備えたセラミック製の粗おろし器であって、
前記突起刃の正面側に、内角が鈍角である３つの角部を上部に有する五角形状の正面視形状の壁面を形成し、
前記突起刃の側面視形状を三角形状に形成したものである。
【０００８】
第２の考案は、前記突起刃の壁面及び側面を上方に向かって内側へ傾斜するように形成したものである。
【０００９】
第３の考案は、
前記壁面が前記皿部の中央部の径方向に沿うようにして同じ向きに形成される複数の前記突起刃を１組とし、
前記突起刃同士が前記皿部の中央部の周方向と径方向のいずれにもずれるように、複数組の前記突起刃を前記皿部の中央部の周方向に互いに間隔を開けて設けたものである。
【００１０】
第４の考案は、前記皿部の中央部の上面又は受け溝に、前記突起刃の壁面が向いている方向とは反対の方向を示す少なくとも１つの矢印を表示したものである。
【００１１】
第５の考案は、前記皿部の周縁部に注ぎ口を設けたものである。
【００１２】
第６の考案は、
前記皿部の平面視形状を、丸みを帯びた多角形状に形成し、
前記注ぎ口を、前記皿部における丸みを帯びた角部に設けたものである。
【００１３】
第７の考案は、前記突起刃の刃先高さを２〜４ｍｍとしたものである。
【００１４】
第８の考案は、前記突起刃の刃先高さを２〜３．５ｍｍとしたものである。
【００１５】
第９の考案は、前記突起刃の刃先高さを２．５〜３ｍｍとしたものである。
【００１６】
第１０の考案は、前記皿部の底面に滑り止め材を設けたものである。
【考案の効果】
【００１７】
第１の考案によれば、従来のような鋸歯状の複数の歯部を有する鬼おろしとは異なり、皿部の中央部の上面に六面体状の複数の突起刃を有しているので、小さい力でも食材をあらゆる方向に粗くおろすことができる。また、粗おろし食材（粗くおろされた食材）やそれから出てきた汁を受け溝で受けることができるので、おろし時に専用の受け皿が不要である。更に、セラミック製であるので、粗おろし食材や前記汁の風味を損なうことがないと共に、使用後は簡単に水で洗うことができる。
【００１８】
第２の考案によれば、粗おろし器の製造過程における焼結前の脱型時に突起刃の形状が崩れにくい。
【００１９】
第３の考案によれば、突起刃の壁面が向いている方向に応じ、食材を突起刃の壁面に当たるように時計方向又は反時計方向に回転させることにより、食材をより粗くおろすことができる。
【００２０】
第４の考案によれば、食材をより粗くおろすことができる方向を視認しやすい。
【００２１】
第５の考案によれば、粗おろし食材や前記汁を食器やコップ等に簡単に注ぐことができる。
【００２２】
第６の考案によれば、粗おろし食材や前記汁を注ぎ口まで送り込みやすい。
【００２３】
第７〜第９の考案によれば、食材を小さい力で粗くおろすのにより好適である。
【００２４】
第１０の考案によれば、食材のおろし時等において粗おろし器が調理台等の上で滑るのを防止することができる。
【図面の簡単な説明】
【００２５】
【図１】実施形態における粗おろし器の平面図である。
【図２】図１の下方向から見た粗おろし器の正面図である。
【図３】図１の左方向から見た粗おろし器の一部を断面で示す拡大左側面図である。
【図４】突起刃付近の要部拡大平面図である。
【図５】図４の下方向から見た突起刃付近の要部拡大正面図である。
【図６】図４の右方向から見た突起刃付近の要部拡大右側面図である。
【図７】突起刃の繰り返し単位における形成パターンを示す要部拡大平面図である。
【考案を実施するための形態】
【００２６】
以下、本考案の実施形態について、図面に基づいて説明する。
図１〜図３に示すように、本実施形態における粗おろし器１は、セラミック製であり、皿部２と複数の突起刃３を備えている。
【００２７】
粗おろし器とは、食材を粗くおろすためのおろし器をいう。食材としては、野菜（大根、人参、きゅうり、トマト、玉ねぎ、じゃがいも、山芋、等）、果物（グレープフルーツ、オレンジ、りんご、キウイフルーツ、等）、ゆで卵等が挙げられる。粗おろし器１を用いて食材を粗くおろせば、サラダやジュース、又はそれらの原材料等を調製することができる。ここで、粗おろし器１はセラミック製であるので、粗おろし食材（粗くおろされた食材）やそれから出てきた汁の風味を損なうことがないと共に、使用後は簡単に水で洗うことができるという利点がある。
【００２８】
皿部２は、皿状に形成されている。皿部２の中央部４の周囲における上面には、周方向に延びる受け溝５が設けられている。皿部２の中央部４の平面視形状は、円状に形成されているが、楕円状や多角形状等でもよい。
【００２９】
皿部２の周縁部には、注ぎ口６が設けられている。皿部２の平面視形状は、丸みを帯びた四角形状に形成されているが、丸みを帯びた三角形状、丸みを帯びた五角形状、丸みを帯びた六角形状等の、丸みを帯びた適宜の多角形状に形成することができる。注ぎ口６は、皿部２における丸みを帯びた角部７に設けられている。
【００３０】
皿部２の底面には、平面視形状がリング状の滑り止め材８が設けられている。滑り止め材８の材質としては、シリコーンゴム等が挙げられる。滑り止め材８の平面視形状や数は、特に限定されるものではなく、必要に応じて適宜変更可能である。
【００３１】
このように、皿部２の周縁部に注ぎ口６を設けておけば、粗おろし食材や前記汁を食器やコップ等に簡単に注ぐことができるという利点がある。また、皿部２の平面視形状を、丸みを帯びた多角形状に形成し、注ぎ口６を皿部２における丸みを帯びた角部７に設けておけば、粗おろし食材や前記汁を注ぎ口６まで送り込みやすいという利点がある。更に、皿部２の底面に滑り止め材８を設けておけば、食材のおろし時等において粗おろし器１が調理台等の上で滑るのを防止できるという利点がある。
【００３２】
皿部２の中央部４の上面には、複数の突起刃３が互いに間隔を開けて突設されている。突起刃３の正面側には、図４〜図６に示すように、内角が鈍角である３つの角部１１を上部に有する五角形状の正面視形状の壁面１２が形成されている。突起刃３の側面視形状は、三角形状に形成されている。すなわち、突起刃３は、壁面１２、２つの側面１３、及び２つの斜面１４を有する六面体状に形成されている。
【００３３】
突起刃３の壁面１２及び側面１３は、上方に向かって内側へ傾斜するように形成されている。そのため、粗おろし器１の製造過程における焼結前の脱型時に突起刃３の形状が崩れにくいという利点がある。食材は、主に突起刃３における壁面１２や側面１３に引っ掛かるように削られることにより、粗くおろされるものと考えられる。
【００３４】
なお、突起刃３の刃先高さＨは、特に限定されるものではないが、２〜４ｍｍ、好ましくは２〜３．５ｍｍ、より好ましくは２．５〜３ｍｍとしておけば、食材を小さい力で粗くおろすのにより好適であるという利点がある。一方、突起刃３の刃先高さＨが２ｍｍ未満の場合には、おろされた食材の粒サイズが小さくなり過ぎる傾向にある。また、突起刃３の刃先高さＨが４ｍｍを超える場合には、食材をおろすのに必要な力が大きくなり過ぎる傾向にある。
【００３５】
皿部２の中央部４においては、図７に示すように、壁面１２が皿部２の中央部４の径方向に沿うようにして同じ向きに形成される複数の突起刃３を１組とし、突起刃３同士が皿部２の中央部４の周方向と径方向のいずれにもずれるように、複数組の突起刃３が皿部２の中央部４の周方向に互いに間隔を開けて設けられている。
【００３６】
突起刃３の形成パターンは特に限定されるものではないが、例えば、本実施形態のように、壁面１２が反時計方向を向きかつ突起刃３同士が皿部２の中央部４の周方向と径方向のいずれにもずれるようにしつつ、皿部２の中央部４における径方向の基準線としての１５度線Ｌ１５付近に２つの突起刃３、４５度線Ｌ４５付近に３つの突起刃３、６０度線Ｌ６０付近に２つの突起刃３、９０度線Ｌ９０付近に３つの突起刃３をそれぞれ設けて繰り返し単位とし、皿部２の中央部４の周方向に繰り返し単位を９０度ごとに設けることができる。
【００３７】
皿部２の中央部４の上面における周縁部には、突起刃３の壁面１２が向いている反時計方向とは反対の時計方向を示す２つの矢印２１が突設されて表示されている。
【００３８】
なお、突起刃３の壁面１２は、時計方向を向いていてもよい。突起刃３の１組に含まれる数が２つの場合には３つ以上でもよいし、３つの場合には２つ又は４つ以上でもよい。突起刃３の繰り返し単位における１組の基準線となる角度は、１５度、４５度、６０度、９０度に限定されるものではなく、必要に応じて適宜変更可能である。あるいは、上記のような規則的な形成パターンではなく、皿部２の中央部４の上面に複数の突起刃３を互いに間隔を開けて不規則（ランダム）に設けてもよい。
【００３９】
上記のように構成された粗おろし器１によれば、従来のような鋸歯状の複数の歯部を有する鬼おろしとは異なり、皿部２の中央部４の上面に上記のような六面体状の複数の突起刃３を有しているので、小さい力でも食材をあらゆる方向に粗くおろすことができるという利点がある。また、皿状に形成された皿部２の中央部４の周囲に受け溝５が設けられており、粗おろし食材や前記汁を受け溝５で受けることができるので、おろし時に専用の受け皿が不要であるという利点がある。
【００４０】
更に、皿部２の中央部４の上面に複数の突起刃３を本実施形態のような形成パターンで設けておけば、突起刃３の壁面１２が向いている方向に応じ、食材を突起刃３の壁面１２に当たるように時計方向又は反時計方向に回転させることにより、食材をより粗くおろすことができるという利点がある。また、皿部２の中央部４の上面や受け溝５に、突起刃３の壁面１２が向いている方向とは反対の方向を示す少なくとも１つの矢印２１を表示しておけば、食材をより粗くおろすことができる方向を視認しやすいという利点がある。
【００４１】
なお、本実施形態のように、突起刃３の壁面１２が反時計方向を向いていれば、右利き用の粗おろし器１として好適である。一方、突起刃３の壁面１２が時計方向を向いていれば、左利き用の粗おろし器１として好適である。
【産業上の利用可能性】
【００４２】
以上のように、本考案の粗おろし器は、大根等の食材を粗くおろすためのおろし器として有用である。
【符号の説明】
【００４３】
１  粗おろし器
２  皿部
３  突起刃
Ｈ  刃先高さ
４  中央部
５  受け溝
６  注ぎ口
７  角部
８  滑り止め材
１１  角部
１２  壁面
１３  側面
２１  矢印
【図１】
0003172919.tif 000003
【図２】
0003172919.tif 000004
【図３】
0003172919.tif 000005
【図４】
0003172919.tif 000006
【図５】
0003172919.tif 000007
【図６】
0003172919.tif 000008
【図７】
0003172919.tif 000009